(57)【要約】【課題】操作の容易な利便性の高いユーザーインターフェイスを提供する。【解決手段】無線タグ保持体において、外部の電子機器を操作するための所要の情報が記憶された無線タグを操作項目の別により分けられた領域ごとに保持するようにする。そして、リモートコントローラ側では、上記無線タグに記憶された情報を、非接触により読み出し、この読み出した情報に基づいたコマンド信号を上記電子機器に送信するようにする。これにより、上記無線タグ保持体に保持される無線タグに記憶されている情報をリモートコントローラにより読み取って、これを外部の電子機器に送信して動作指示を行うことができるという、従来にはない、操作の容易な利便性の高いユーザーインターフェイスを提供することが可能となる。【選択図】　　　　図３
2004145720.tif 000002
【特許請求の範囲】
【請求項１】
無線タグ保持体とリモートコントローラとにより構成されるリモートコントロールシステムであって、
上記無線タグ保持体には、
外部の電子機器を操作するための所要の情報が記憶された無線タグが操作項目の別により分けられた領域ごとに保持され、
上記リモートコントローラは、
上記無線タグに記憶された情報を、非接触により読み出すことのできる読出手段と、
上記読出手段により読み出された情報に基づいたコマンド信号を、上記外部の電子機器に送信する送信手段とを備える、
ことを特徴とするリモートコントロールシステム。
【請求項２】
上記無線タグ保持体における上記無線タグのそれぞれには、外部の電子機器を操作するためのコマンド情報が記憶され、
上記リモートコントローラにおける送信手段は、
上記読出手段により上記無線タグから読み出された上記コマンド情報に基づいたコマンド信号を、上記外部の電子機器に送信するように構成されている、
ことを特徴とする請求項１に記載のリモートコントロールシステム。
【請求項３】
上記無線タグ保持体における上記無線タグのそれぞれには、操作項目の別を示す情報が記憶され、
上記リモートコントローラにおける送信手段は、
上記読出手段により上記無線タグから読み出された上記操作項目の別を示す情報を、対応するコマンド信号に変換して上記外部の電子機器に送信するように構成されている、
ことを特徴とする請求項１に記載のリモートコントロールシステム。
【請求項４】
上記無線タグ保持体における上記無線タグには、
外部の電子機器として、オーディオビジュアル機器に対して所定の操作を行うための所要の情報が記憶されている、
ことを特徴とする請求項１に記載のリモートコントロールシステム。
【請求項５】
無線タグ保持体において、操作項目の別により分けられた領域ごとに保持されると共に、外部の電子機器を操作するための所要の情報が記憶された無線タグより、上記情報を非接触により読み出す読出手順と、
上記読出手順により読み出された情報に基づいたコマンド信号を、上記外部の電子機器に送信する送信手順とを実行することを特徴とするリモートコントロール方法。
【請求項６】
外部の電子機器を操作するための所要の情報が記憶された無線タグが、操作項目の別により分けられた領域ごとに保持されていることを特徴とする無線タグ保持体。
【請求項７】
平面状に形成されていることを特徴とする請求項６に記載の無線タグ保持体。
【請求項８】
上記操作項目の別により分けられた領域に対しては、対応する操作項目を示す点字が形成されていることを特徴とする請求項６に記載の無線タグ保持体。
【発明の詳細な説明】
【０００１】
【発明の属する技術分野】
本発明は、無線タグが保持される無線タグ保持体と、上記無線タグに記憶された情報を読み取ることのできるリモートコントローラとにより構成され、外部電子機器に対する遠隔操作を行うためのリモートコントロールシステム、及びその方法に関する。また、上記無線タグ保持体に関するものである。
【０００２】
【従来の技術】
例えばＡＶ（Ａｕｄｉｏ　Ｖｉｓｕａｌ）機器に対する操作入力として、付属のリモートコントローラを用いた遠隔操作が行われている。
このようなリモートコントローラは、表面に配された各種操作キーが操作されるのに応じて、この操作キーに対応する所定のコマンド信号を出力するようにされる。そして、ＡＶ機器側では、このコマンド信号に応じた所定動作を行うようにされ、これにより上記操作キーに応じた動作が実現されるようなっている。
【０００３】
ところで、上記のようなリモートコントローラを用いた遠隔操作において、例えばＡＶ機器側の性能が向上して多機能となることに応じては、リモートコントローラ側の操作キーをその分増加させてこれに対応させることが考えられる。しかしながら、このように操作キーを増やすといった場合、リモートコントローラ側における配置スペースにも限度があるため、載せきれる操作キーの数にも限界がある。
【０００４】
そこで、従来のリモートコントローラでは、例えば所定の操作キーが操作されるのに応じて、特定の操作キーにより発する操作コマンドを切り替えるようにすることで、１つの操作キーについて複数の操作を割り当てるようにしていた（例えば、特許文献１参照）。
これにより、操作キーが増加するのを抑えることが可能となる。
【０００５】
また、或いはＡＶ機器等を操作するためのリモートコントロールシステムでは、例えば表示画面上に操作項目のメニューを階層化して表示した上で、リモートコントローラからの操作に応じてこのメニューの階層を辿って指定された動作を実行するようにしていた（例えば、特許文献２参照）。
この場合は、操作キーを画面上に配置するのと実質的に同じとなって、リモートコントローラ上の操作キーの増加を抑えることが可能となる。
【０００６】
【発明が解決しようとする課題】
しかしながら、これらの従来技術において、例えば１つの操作キーに複数操作を割り当てるものは、操作キーに対する一度の操作のみで、所望の操作を行うことができない場合があり、この点で操作性を悪化させていることとなる。
【０００７】
また、上記のようにして階層化されたメニューによる操作を行うものも、同様に一度の操作で所望の操作を行うことができない場合がある。さらに、この場合は、より詳細な機能設定等を行おうとする程、より多くの階層を辿るようにされるため、操作が複雑化し、ユーザーによりこのような詳細な機能設定等が行われなくなる傾向が強くなる。
つまりこの場合、機器側で実行可能な機能が多数用意されていたとしても、これらを実現するための操作が複雑であるために、これらの機能が充分に使用されなくなってしまうこととなる。
【特許文献１】
特開２００２―１２４０１５号公報
【特許文献２】
特開平０８―２７５０７６号公報
【０００８】
【課題を解決するための手段】
そこで、本発明では以上のような問題点に鑑み、リモートコントロールシステムとして以下のように構成することとした。
すなわち、無線タグ保持体とリモートコントローラとにより構成されるリモートコントロールシステムとして、先ず、上記無線タグ保持体には、外部の電子機器を操作するための所要の情報が記憶された無線タグが操作項目の別により分けられた領域ごとに保持されるようにした。
その上で、上記リモートコントローラとして、上記無線タグに記憶された情報を、非接触により読み出すことのできる読出手段と、上記読出手段により読み出された情報に基づいたコマンド信号を、上記外部の電子機器に送信する送信手段とを備えるようにした。
【０００９】
また、本発明ではリモートコントロール方法として以下のようにすることとした。
つまり、無線タグ保持体において、操作項目の別により分けられた領域ごとに保持されると共に、外部の電子機器を操作するための所要の情報が記憶された無線タグより、上記情報を非接触により読み出す読出手順を実行すると共に、上記読出手順により読み出された情報に基づいたコマンド信号を、上記外部の電子機器に送信する送信手順とを実行するようにした。
【００１０】
また、本発明では、無線タグ保持体として、外部の電子機器を操作するための所要の情報が記憶された無線タグが、操作項目の別により分けられた領域ごとに保持されるようにした。
【００１１】
上記本発明によれば、上記無線タグ保持体には、外部の電子機器を操作するための所要の情報が記憶された無線タグが操作項目の別により分けられた領域ごとに保持される。そして、上記リモートコントローラ側では、上記保持体に保持されている無線タグに記憶された情報が、非接触により読み出され、この読み出された情報に基づいたコマンド信号が、上記外部の電子機器に送信されるようになる。
つまり、上記本発明では、上記リモートコントローラが、上記保持体に保持されている無線タグのうちの所要の無線タグから読み出した情報を送出することで、該無線タグに書き込まれた情報に対応する動作を上記電子機器に対して指示することが可能となるものである。
【００１２】
【発明の実施の形態】
＜第１の実施の形態＞
先ず、図１に、本発明における第１の実施の形態としてのリモートコントロールシステムを構成する、無線タグ保持体としての操作用シート１の構成を示す。なお、この図において、図１（ａ）は操作用シート１の表面を示した平面図であり、図１（ｂ）は、この操作用シートに形成される操作指定領域１ａを抜き出して示した平面図である。
図１（ａ）において、操作用シート１は、紙製の平面状シートとされ、その表面上には図示するように複数の操作指定領域１ａが形成されている。この操作指定領域１ａは、例えばインク等により枠が印刷されて形成される。
【００１３】
これら複数の操作指定領域１ａのそれぞれには、例えば図のように操作項目が絵や文字等により印刷され、それぞれがどの操作に対応するものであるのかが示される。
また、これらそれぞれの操作指定領域１ａには、図１（ｂ）内に破線で示すようにして、無線タグとしてのＲＦＩＤ（Ｒａｄｉｏ　Ｆｒｅｑｕｅｎｃｙ　ＩＤｅｎｔｉｆｉｃａｔｉｏｎ）チップ１ｂが埋め込まれている。
周知のように、このＲＦＩＤチップは、例えば１２８ビット程度のデータ記憶容量を有し、マイクロ波（例えば２．４ＧＨｚ帯）が照射されることにより発生する自己整流を電力源として記憶データを無線により外部に送出することが可能されている。
この場合、上記のようにして操作指定領域１ａごとに埋め込まれる各ＲＦＩＤチップ１ｂには、後述するＡＶ（Ａｕｄｉｏ　Ｖｉｓｕａｌ）機器３に対する各種操作を指示するための情報として、それぞれの操作指定領域１ａに印刷された操作項目の内容に対応するコマンド情報が書き込まれているものとなる。
【００１４】
なお、ＲＦＩＤシステムにおける情報伝送方式としては、電磁誘導方式、電磁結合方式、マイクロ波方式、静電結合方式、光方式等が広く知られているが、この場合としてはいずれの方式が採用されてもよく、また、複数の方式に対応させるようにしてもよい。さらに、この場合、上記ＲＦＩＤチップ１ｂに対しては、記憶データの読出だけでなく書込が可能とされてもよいものとする。
また、上記ＲＦＩＤチップ１ｂが埋め込まれる、それぞれの操作指定領域１ａの間隔としては、後述するリモートコントローラ２が上記コマンド情報を読み取る際に、複数のＲＦＩＤチップ１ｂと混線しない程度の任意の間隔が設定されればよい。
【００１５】
続いて、上記操作用シート１と共に本実施の形態のリモートコントロールシステムを構成するリモートコントローラ２の内部構成例を、次の図２のブロック図に示す。
図２において、先ず、リーダー部１１は、上記操作用シート１に埋め込まれるＲＦＩＤチップ１ｂに書き込まれたコマンド情報を読み取るための部位であり、マイクロ波を送出して上記ＲＦＩＤチップ１ｂより返信されるコマンド情報を受信するのに必要なアンテナが備えられる。
なお、このリーダー部１１としては、上記した電磁誘導方式、電磁結合方式、マイクロ波方式、静電結合方式、光方式等の所要の情報伝送方式により、上記ＲＦＩＤチップ１ｂに対するデータ読出が可能とされるだけでなく、書込機能を有するリーダ／ライタであってもよいものとする。
【００１６】
マイコン１０は、例えば図示されないＣＰＵ、ＲＯＭ、ＲＡＭ等を備えたマイクロコンピュータとされる。
この場合、マイコン１０は、上記リーダー部１１により読み取られたコマンド情報を入力し、このコマンド情報に基づいたコマンド信号を図示する赤外線発光部１２に対して供給する。
【００１７】
赤外線発光部１２は、赤外線ＬＥＤ（Ｌｉｇｈｔ　Ｅｍｉｔｔｉｎｇ　Ｄｉｏｄｅ）を備えて構成され、上記マイコン１０より供給されたコマンド信号に応じた発光パターンにより赤外線発光動作を行うようにされる。
なお、ここでは赤外線方式によりコマンド信号を送出する構成を例に挙げたが、この他、例えばＩＥＥＥ８０２．１１方式等の電波方式に対応した構成が採られてもよい。
【００１８】
上記のように構成される操作用シート１とリモートコントローラ２により構成される、本実施の形態としてのリモートコントロールシステムにおいて得られる動作を、次の図３に示すシステム概要図を用いて説明する。
なお、この図３に示すＡＶ機器３は、例えばＣＤ（Ｃｏｍｐａｃｔ　Ｄｉｓｃ）、ＭＤ（Ｍｉｎｉ　Ｄｉｓｃ：光磁気ディスク）、ＤＶＤ（Ｄｉｇｉｔａｌ　Ｖｅｒｓａｔｉｌｅ　Ｄｉｓｃ）等のメディアについての記録または再生が可能な機器やテレビジョン受像機等とされる。そして、この場合、リモートコントローラ２から送出された赤外線コマンド信号を受信し、このコマンド信号に応じた動作を実行することが可能に構成されているものとする。
【００１９】
図３において、先ず、ユーザーが上記ＡＶ機器３に対し、操作用シート１上の所要の操作指定領域１ａに印刷された操作項目に対応する動作を行わせたいとして、図示するリモートコントローラ２を、この操作指定領域１ａに近づけたとする。
すると、図２に示したリーダー部１１より発せられるマイクロ波によって、この操作指定領域１ａに埋め込まれているＲＦＩＤチップ１ｂに電力が伝送され、該ＲＦＩＤチップ１ｂに書き込まれているコマンド情報が上記リーダー部１１に対して送出される。
【００２０】
このようにリーダー部１１に対して送出されたコマンド情報は、図２に示したマイコン１０に供給され、このコマンド情報に基づいたコマンド信号が赤外線発光部１２に対して供給される。そして、この赤外線発光部１２からは、上記コマンド信号が赤外線信号として送出される。
これにより、このリモートコントローラ２からは、上記ユーザーにより指定された操作指定領域１ａに印刷された操作項目に対応するコマンド信号が送出されるようになる。
そして、このように送出されたコマンド信号が受信されたＡＶ機器３側では、このコマンド信号に応じた動作が実行されることとなる。
【００２１】
このように、第１の実施の形態のリモートコントロールシステムによっては、操作用シート１上に配置される、操作項目の内容が記された操作指定領域１ａに対してリモートコントローラ２を近づけることにより、外部のＡＶ機器３に対応する動作指示を行うことができるという、従来にはない、操作の容易な利便性の高いユーザーインターフェイスを提供することが可能となる。
【００２２】
また、上記説明からも理解されるように、本実施の形態では、リモートコントローラ２自体に操作キーを配置するのではなく、平面状のシートとされる操作用シート１上に、操作キーとしての操作指定領域１ａを配置するようにしている。
このため、本実施の形態では、従来のリモートコントローラのような、操作キー配置スペースの制限は特になくなるものとなる。
つまり、本実施の形態のリモートコントロールシステムによっては、ＡＶ機器３側で実行可能な全ての機能のそれぞれ１つ１つを、１つの操作指定領域１ａに対応させることも可能となり、操作キーに対する一度の操作のみで、所望の操作を行うことが可能となる。
【００２３】
また、上記のようにして、ＡＶ機器３側で実行可能な全ての操作項目を操作用シート１上に配置することが可能となることで、例えばＡＶ機器３に対する詳細な機能設定等、従来では比較的複雑な操作を要していた動作指示も、一度の操作のみで行うことが可能となる。
つまり、本実施の形態のリモートコントロールシステムによっては、従来では操作が複雑であったことにより使用されていなかった機能を、より使用され易くすることができるようになる。
【００２４】
また、本実施の形態のように操作用シート１が紙製であるとして、例えばこの操作用シート１を、ＡＶ機器３の取り扱い説明書等として適用すれば、さらに、本実施の形態のリモートコントロールシステムの利便性を増すことができる。
すなわち、例えば、上記取り扱い説明書における、上記ＡＶ機器３が実行可能な機能の説明が示されている部分に対し、その機能を実行させるための対応するコマンド情報を書き込んだＲＦＩＤチップ１ａを埋め込んでおくようにするものである。
このようにすることで、ユーザーは、上記機能説明の部分を参照してこの機能を実行させたいとしときに、リモートコントローラ２をこの機能説明部分に近づけることのみで、ＡＶ機器３に対して上記参照した機能を実行させるためのコマンド入力を行うことが可能となる。
つまり、上記のように操作用シート１を取り扱い説明書に適用することによっては、例えば、従来のように取り扱い説明書に示された操作手順をその都度参照せずとも、所望する動作をＡＶ機器３に実行させるためのコマンドを入力することが可能となる。
【００２５】
また、上記実施の形態の操作用シート１において、各操作指定領域１ａに対し、点字により各操作項目を示しておくようにすれば、盲人にとって好適なリモートコントロールシステムを実現することも可能となる。
【００２６】
ここで、先の図３におけるシステム動作でも述べたように、本実施の形態のリモートコントロールシステムでは、操作用シート１上の所要の操作指定領域１ａにリモートコントローラ２を近づけるだけで、この操作用シート１ａに埋め込まれるＲＦＩＤチップ１ｂから情報を読み出すことが可能とされた。
このために、この場合のリモートコントローラ２おいては、リーダー部１１により、ＲＦＩＤチップ１ｂからのデータ読出のためのマイクロ波の送出を常に行うようにされているものであった。
しかしながら、このような構成によると、使用時以外も電力が消費されて好ましくない。
【００２７】
そこで、これを解消するために、例えば筐体に表出したキーと、このキーに対する例えば押圧操作をマイコン１０に対して検出出力することのできるリーダー操作部１３を、図２内に破線で示すようにして設けるようにし、このリーダー部１３に対する操作に連動させてリーダー部１１におけるマイクロ波の送出動作を行わせるようにしてもよい。
つまり、上記リーダー操作部１３がユーザーにより操作されていないときは、リーダー部１１におけるマイクロ波送出動作を停止させておき、リーダー操作部１３に対する操作が行われたときのみマイクロ波送出（つまりデータ読出）動作を行わせるようにするものである。
このようにすることで、当該リモートコントローラ２における消費電力を大幅に削減することができるようになる。
なお、確認のために述べておくと、この場合のユーザーによるリモートコントローラ２の使用方法としては、所望の操作指定領域１ａに当該リモートコントローラ２を近づけた上で、上記リーダー操作部１３を操作することによって、この操作指定領域１ａに埋め込まれたＲＦＩＤチップ１ｂからのデータ読出を行わせるものとなる。
【００２８】
＜第２の実施の形態＞
続いて、本発明の第２の実施の形態としてのリモートコントロールシステムについて説明する。
この第２の実施の形態としてのリモートコントロールシステムでは、各操作指定領域１ａに埋め込まれるＲＦＩＤチップ１ｂに書き込まれる情報が、第１の実施の形態の場合と異なるものとされる。
すなわち、上記第１の実施の形態では、ＲＦＩＤチップ１ｂに対しコマンド情報を書き込むようにしたが、ここでは、このＲＦＩＤチップ１ｂに対し、単に各操作指定領域１ａに示される操作項目の別を示す情報としての操作コードのみを書き込んでおくようにするものである。
これに対応させるために、この第２の実施の形態では、リモートコントローラ２０として、ＲＦＩＤチップ１ｂより読み出した上記操作コードを、対応するコマンド信号に変換させるようにしている。
【００２９】
この第２の実施の形態としてのリモートコントローラ２０の内部構成としては、例えば次の図４に示すようになる。なお、この図において、既に図２において説明した部分については、同一の符号を付して説明を省略する。
図４において、このリモートコントローラ２０には、図示するようにマイコン１０に対して、記憶部２１が備えられるものとなる。
この記憶部２１としては、電源供給が停止してもデータ記憶が維持される、例えばＲＯＭやＮＶ―ＲＡＭ等の不揮発性メモリが採用される。そして、この記憶部２１には、ＲＦＩＤチップ１ｂより読み出された操作コードを、対応するコマンド信号に変換するための、図示するコマンド変換テーブル２１ａが格納される。
【００３０】
このコマンド変換テーブル２１ａの構造としては、例えば図５に示すように、各操作コードに対応づけられてコマンド情報が書き込まれるものとなる。
これにより、後述するようにしてマイコン１０は、リーダー部１１によってＲＦＩＤチップ１ｂから読み出された操作コードを元に、このコマンド変換テーブル２１ａを参照することで、上記操作コードに対応するコマンド情報を得ることができるようにされる。
【００３１】
なお、この図４に示したリモートコントローラ２０においても、図中に破線で示すようにして、リーダー操作部１３を設けるようにし、先に説明したようにしてリーダー部１１におけるマイクロ波の送出動作をこのリーダー部１３に対する操作に連動させて行わせるようにしてもよい。
【００３２】
この場合のリモートコントロールシステムにおける動作としては、例えば以下のようになる。
先ず、ユーザーが上記ＡＶ機器３に対し、操作用シート１上の操作指定領域１ａに印刷された操作項目に対応する動作を行わせたいとして、図示するリモートコントローラ２を、この操作指定領域１ａに近づけたとする。
すると、この場合は、リーダー部１１により、この操作指定領域１ａに埋め込まれているＲＦＩＤチップ１ｂに書き込まれた操作コードが読み出されるようになる。
【００３３】
このようにして読み出された操作コードは、マイコン１０に供給される。そして、この場合、マイコン１０は上記操作コードを元に図５に示したコマンド変換テーブル２１ａを参照するようにされ、さらに、このコマンド変換テーブル２１ａにおいて、上記操作コードに対応づけられて記憶されているコマンド情報を読み出すようにされる。
その上で、このマイコン１０は、上記読み出したコマンド情報に基づいたコマンド信号を赤外線発光部１２に対して供給するようにされる。
これにより、上記赤外線発光部１２からは、上記コマンド信号が赤外線信号としてＡＶ機器３に対して送出される。
【００３４】
このように、第２の実施の形態のリモートコントロールシステムにおいても、結果的に、上記ユーザーにより指定された操作指定領域１ａに印刷された操作項目に対応するコマンド信号を、上記リモートコントローラ２０から送出することができるようになる。
【００３５】
また、上述もしたように、この第２の実施の形態のリモートコントロールシステムでは、操作用シート１に埋め込まれる各ＲＦＩＤチップ１ｂに対し、単に操作項目の別を示す操作コードのみを書き込むようにしている。
これによっては、各ＲＦＩＤチップ１ｂの記憶容量として比較的小容量もので足ることとなる。
つまり、この第２の実施の形態のリモートコントロールシステムによっては、第１の実施の形態の場合と比べて、各ＲＦＩＤチップ１ｂの容量を抑えることが可能となり、これらＲＦＩＤチップ１ｂのコストを抑えることが可能となって、操作用シート１の製造コストを削減することが可能となる。
【００３６】
なお、上記第２の実施の形態では、リモートコントローラ２０が、操作用シート１における各ＲＦＩＤチップ１ｂに書き込まれる情報として、操作コードのみに対応する場合を例に挙げたが、これに加え、第１の実施の形態のように操作コマンドが書き込まれたＲＦＩＤチップ１ｂにも対応させるようにしてもよい。
すなわち、この場合のリモートコントローラ２０としては、先ず、リーダー部１１によりＲＦＩＤチップ１ｂより読み出された情報が、コマンド情報であるか、操作コードであるかの判別を行うようにする。そして、コマンド情報であった場合には、マイコン１０がこのコマンド情報に基づいたコマンド信号をそのまま赤外線発光部１２に対して供給するようにする。また、操作コードであった場合には、マイコン１０がコマンド変換テーブル２１ａを参照して上記操作コードを対応するコマンド信号に変換した上で、これを赤外線発光部１２に対して供給するようにする。
このようにすることで、このリモートコントローラ２０としては、第１の実施の形態、及び第２の実施の形態の場合のどちらの操作用シート１にも対応できるようになる。
【００３７】
ここで、上記各実施の形態では、無線タグ保持体としての操作用シート１が、平面状の紙製とされる場合を例に挙げたが、本発明の無線タグ保持体としては、特にその形状を問わないものとし、さらに、例えばプラスチック材や木材などの他の材質とされても構わない。
【００３８】
また、上記各実施の形態では、当該リモートコントロールシステムがＡＶ機器３に対応する場合を例に挙げたが、本発明のリモートコントロールシステムとしては、例えばパーソナルコンピュータ等の情報処理装置や、電子レンジ等の所謂家庭用電化製品をはじめ、４足歩行ロボット等のロボット、或いは自動車等に対応したものとされてもよい。
【００３９】
また、各実施の形態のリモートコントロールシステムとしては、操作対象として外部の１つの電子機器に対する操作を行うのみでなく、複数の異なる電子機器に対する操作が可能に構成されてもよい。
このために、例えば各実施の形態の操作用シート１に対しては、それぞれ異なる電子機器を操作するための情報が記憶されたＲＦＩＤチップ１ｂが埋め込まれるようにすればよい。
或いは、１つのＲＦＩＤチップ１ｂに対し、複数の操作を割与えることにより、複数の電子機器に対する操作が可能となるようにしてもよい。
【００４０】
【発明の効果】
以上のように本発明では、無線タグ保持体において、外部の電子機器を操作するための所要の情報が記憶された無線タグを操作項目の別により分けられた領域ごとに保持するようにしている。そして、リモートコントローラ側では、上記無線タグに記憶された情報を、非接触により読み出し、この読み出した情報に基づいたコマンド信号を上記外部の電子機器に送信するようにしている。
【００４１】
このように本発明では、上記無線タグ保持体に保持される無線タグに記憶されている情報をリモートコントローラにより読み取って、これを外部の電子機器に送信して動作指示を行うことができるという、従来にはない、操作の容易な利便性の高いユーザーインターフェイスを提供することが可能となる。
【００４２】
また、上記説明からも理解されるように、本発明では、リモートコントローラ自体に操作キーを配置するのではなく、別途に用意した無線タグ保持体に対して操作キーとしての無線タグを配置するようにしている。
このため、本発明では、従来のリモートコントローラのような、操作キー配置スペースの制限は特になくなるものとなる。
つまり、上記本発明によっては、上記電子機器側で実行可能な全ての機能のそれぞれ１つ１つを、１つの無線タグ（操作キー）に対応させることが可能となり、所望の操作をワンタッチで行うことが可能となる。
【００４３】
また、上記のようにして、電子機器側で実行可能な全ての操作項目を無線タグ保持体上に配置することができるようになることで、例えば詳細な機能設定等、従来では比較的複雑な操作を要していた動作指示も、一度の操作のみで行うことが可能となる。
つまり、本発明によっては、従来では操作が複雑であったことにより使用されていなかった機能を、より使用され易くすることができるようになる。
【図面の簡単な説明】
【図１】本発明における、実施の形態としての無線タグ保持体の構成について示した平面図である。
【図２】本発明における、第１の実施の形態としてのリモートコントローラの内部構成例を示すブロック図である。
【図３】無線タグ保持体とリモートコントローラとによって構成されるリモートコントロールシステムにおいて得られる動作を説明するためのシステム概要図である。
【図４】本発明における、第２の実施の形態としてのリモートコントローラの内部構成例を示すブロック図である。
【図５】第２の実施の形態としてのリモートコントローラが内部に備えるコマンド変換テーブルの構造を示すデータ構造図である。
【符号の説明】
１　操作用シート、１ａ　操作指定領域、１ｂ　ＲＦＩＤチップ、２　リモートコントローラ、３　ＡＶ機器、１０　マイコン、１１　リーダー部、１２　赤外線発光部、１３　リーダー操作部、２０　リモートコントローラ、２１　記憶部、２１ａ　コマンド変換テーブル
【図１】
2004145720.tif 000003
【図２】
2004145720.tif 000004
【図３】
2004145720.tif 000005
【図４】
2004145720.tif 000006
【図５】
2004145720.tif 000007